【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】
給水源から供給される洗浄水を人体に噴出する衛生洗浄装置であって、
洗浄水を噴出するとともに噴出する洗浄水の広がり角度を連続的に変更可能な噴出手段と、
前記噴出手段から噴出される洗浄水の広がり角度を制御する制御手段とを備えたことを特徴とする衛生洗浄装置。
【請求項２】
前記噴出手段から噴出される洗浄水の広がり角度を設定するための広がり角度設定手段をさらに備え、
前記広がり角度設定手段は、
洗浄水の広がり角度を段階的に変更可能なスイッチを備えたことを特徴とする請求項１記載の衛生洗浄装置。
【請求項３】
前記噴出手段から噴出される洗浄水の広がり角度の連続的な拡大または縮小を繰り返す動作を指令する指令手段をさらに備え、
前記制御手段は、前記指令手段の指令に応答して前記噴出手段から噴出される洗浄水の広がり角度を変化させる請求項１または２記載の衛生洗浄装置。
【請求項４】
前記制御手段は、
洗浄水広がり角度の拡大速度よりも縮小速度を小さくすることを特徴とする請求項３記載の衛生洗浄装置。
【請求項５】
前記噴出手段は、
洗浄水を断面円状に噴出することを特徴とする請求項１〜４のいずれかに記載の衛生洗浄装置。
【請求項６】
前記噴出手段は、
洗浄水を断面円環状に噴出することを特徴とする請求項１〜４のいずれかに記載の衛生洗浄装置。
【請求項７】
前記噴出手段は、
噴出孔と、
前記給水源から供給される洗浄水を前記噴出孔に導く第１の流路と、
前記給水源から供給される洗浄水を前記噴出孔に導く第２の流路と、
前記第１の流路の洗浄水に回転流を生成する回転流生成手段と、
前記第１の流路および前記第２の流路に供給される洗浄水の流量を調整する流量調整手段とを含むことを特徴とする請求項５記載の衛生洗浄装置。
【請求項８】
前記噴出手段は、
噴出孔と、
前記給水源から供給される洗浄水を前記噴出孔に導く流路と、
前記噴出孔内に移動可能に設けられた円錐状の外周面を有する可動部材とを有し、
前記制御手段は、前記可動部材を移動させる駆動手段を含むことを特徴とする請求項５記載の衛生洗浄装置。
【請求項９】
前記噴出手段は、
噴出孔と、
前記給水源から供給される洗浄水を前記噴出孔に導く流路と、
前記噴出孔内に移動可能に設けられた逆円錐台状の外周面を有する可動部材とを有し、
前記制御手段は、前記可動部材を移動させる駆動手段を含むことを特徴とする請求項６記載の衛生洗浄装置。
【請求項１０】
前記噴出手段は、
人体に洗浄水を噴出する人体洗浄ノズル装置を含むことを特徴とする請求項１〜９のいずれかに記載の衛生洗浄装置。
【請求項１１】
前記噴出手段は、
便器に洗浄水を噴出する便器洗浄ノズル装置を含むことを特徴とする請求項１〜１０のいずれかに記載の衛生洗浄装置。
【請求項１２】
前記制御手段は、
前記噴出手段から噴出される洗浄水の広がり角度を制御する電気的駆動部を含むことを特徴とする請求項１〜１１のいずれかに記載の衛生洗浄装置
【手続補正２】
【補正対象書類名】明細書
【補正対象項目名】発明の詳細な説明
【補正方法】変更
【補正の内容】
【発明の詳細な説明】
【０００１】
【発明の属する技術分野】
本発明は、人体の局部を洗浄する衛生洗浄装置に関する。
【０００２】
【従来の技術】
従来より、人体の局部を洗浄する衛生洗浄装置の分野においては、使用者の好みに応じた洗浄を実現すべく各種機能が案出されている。例えば、人体に不快感を与えないようにするため洗浄に用いる洗浄水を適切な温度に調整する機能、使用者の好みに応じた洗浄を実現するためにノズルから噴出される洗浄水の流量を調整する機能およびノズルから噴出される洗浄水の噴出形態を調整する機能等である。
【０００３】
使用者の好みに応じた洗浄を実現するためにノズルから噴出される洗浄水の水勢を調整する機能を有する衛生洗浄装置の一例が、特開昭５９−１０２０３０号公報に開示されている。上記公報に開示された衛生洗浄装置は、給水源から供給される洗浄水をノズルより噴出させるための加圧手段として電磁ポンプを備える。そして、使用者の好みに応じて電磁ポンプへの通電を調整し、ノズルより噴出する洗浄水の流量を調整する。これにより、使用者は自己の好みに応じてノズルより噴出する洗浄水の流量を調整することができる。
【０００４】
また、使用者の好みに応じた洗浄を実現するためにノズルから噴出される洗浄水の噴出形態を調整する機能を有する衛生洗浄装置の一例が、特開昭５９−１０６６３７号公報に開示されている。上記公報に開示された衛生洗浄装置は、ノズルの先端に２つの噴出口を有する。そして、その衛生洗浄装置では、洗浄水を１つの噴出口より噴出することにより集中した噴出形態を実現し、洗浄水を２つの噴出口より噴出することにより分散した噴出形態を実現する。
【０００５】
【発明が解決しようとする課題】
以上に示すように、衛生洗浄装置の分野においては、使用者の好みに応じた洗浄を実現すべく各種機能が案出されているが、同時に新しい機能の付加に伴うさらなる改善も求められている。
【０００６】
例えば、上述の特開昭５９−１０６６３７号公報に開示されている衛生洗浄装置においては、使用者は２つの噴出形態を選択することができるが、必ずしも選択した噴流形態が自己の好みまたは体調に応じたものであるとは限らない。
【０００７】
本発明の目的は、使用者の好みまたは体調に応じた洗浄感および洗浄力を的確に得ることができる衛生洗浄装置を提供することである。
【０００８】
【課題を解決するための手段】
本発明に係る衛生洗浄装置は、給水源から供給される洗浄水を人体に噴出する衛生洗浄装置であって、洗浄水を噴出するとともに噴出する洗浄水の広がり角度を連続的に変更可能な噴出手段と、噴出手段から噴出される洗浄水の広がり角度を制御する制御手段とを備えるものである。
【０００９】
本発明に係る衛生洗浄装置においては、噴出手段から噴出される洗浄水が広がり角度制御手段により連続的に広がり角度が制御されて人体に向けて噴出される。したがって、使用者は好みまたは体調に応じて種々の洗浄感および洗浄力を得ることができる。
【００１０】
衛生洗浄装置は、噴出手段から噴出される洗浄水の広がり角度を設定するための広がり角度設定手段をさらに備え、広がり角度設定手段は、洗浄水の広がり角度を段階的に変更可能なスイッチを備えてもよい。この場合、広がり角度設定手段の設定に基づいて噴出手段から噴出される洗浄水の広がり角度を段階的に制御することができる。したがって、使用者は洗浄水の広がり角度および洗浄面積を好みまたは体調により簡単に調整することができる。
【００１１】
衛生洗浄装置は、噴出手段から噴出される洗浄水の広がり角度の連続的な拡大または縮小を繰り返す動作を指令する指令手段をさらに備え、制御手段は、指令手段の指令に応答して噴出手段から噴出される洗浄水の広がり角度を変化させてもよい。この場合、指令手段からの指令により噴出手段から噴出される洗浄水の広がり角度を連続的に拡大または縮小を繰り返すことができる。したがって、使用者は広範囲に渡って繰り返し洗浄することができる。
【００１２】
制御手段は、洗浄水広がり角度の拡大速度よりも縮小速度を小さくしてもよい。この場合、噴出手段から噴出される洗浄水の広がり角度は拡大速度よりも縮小速度の方が小さくなる。したがって、洗浄水が外側から内側に向かって汚れを落とすように作用し、被洗浄面の外周への汚れ飛散を防止することができる。
【００１３】
噴出手段は、洗浄水を断面円状に噴出してもよい。この場合、噴出手段から噴出される洗浄水の断面が円状となる。したがって、使用者は被洗浄面を円状に洗浄することができる。その結果、使用者は好みまたは体調に応じた種々の洗浄感を得ることができる。
【００１４】
噴出手段は、洗浄水を断面円環状に噴出してもよい。この場合、噴出手段から噴出される洗浄水の断面が円環状となる。したがって、使用者は被洗浄面を円環状に洗浄することができる。その結果、使用者は好みまたは体調に応じた種々の洗浄感を得ることができる。
【００１５】
噴出手段は、噴出孔と、給水源から供給される洗浄水を噴出孔に導く第１の流路と、給水源から供給される洗浄水を噴出孔に導く第２の流路と、第１の流路の洗浄水に回転流を生成する回転流生成手段と、第１の流路および第２の流路に供給される洗浄水の流量を調整する流量調整手段とを含んでもよい。
【００１６】
この場合、噴出手段の第１の流路および第２の流路を介して噴出孔より洗浄水を噴出させることができる。また、第１の流路と第２の流路とが別個に形成されるため、第１の流路および第２の流路を流れる洗浄水の流量をそれぞれ独立に変化させることができる。さらに、第１の流路において洗浄水の回転流を生成することができるため、噴出孔より分散旋回流を噴出させることができる。したがって、第１の流路および第２の流路を流れる洗浄水の流量を調整することにより使用者の体調または好みに応じて直線流および分散旋回流のいずれか一方、または直線流と分散旋回流との混合流を噴出させることができる。それにより、洗浄水の広がり角度および洗浄面積を変化させることができる。
【００１７】
噴出手段は、噴出孔と、給水源から供給される洗浄水を噴出孔に導く流路と、噴出孔内に移動可能に設けられた円錐状の外周面を有する可動部材とを有し、制御手段は、可動部材を移動させる駆動手段を含んでもよい。この場合、噴出孔内に設けた円錐状の可動部材が噴出孔から取り出されると洗浄水は可動部材の影響を受けずに直線流となる。また、可動部材が噴出孔に挿入されると洗浄水は可動部材の外周面に沿って噴出されるため、断面が円状の分散流となる。したがって、可動部材の位置により洗浄水の広がり角度が変化するとともに、洗浄水の密度が変化し、流量のみの調整とは異なる洗浄感が得られる。その結果、使用者は好みまたは体調に応じた種々の洗浄感および洗浄力を得ることができる。
【００１８】
噴出手段は、噴出孔と、給水源から供給される洗浄水を噴出孔に導く流路と、噴出孔内に移動可能に設けられた逆円錐台状の外周面を有する可動部材とを有し、制御手段は、可動部材を移動させる駆動手段を含んでもよい。
【００１９】
この場合、噴出孔内に設けた逆円錐台状の可動部材が噴出孔から取り出されると洗浄水は可動部材の影響を受けずに直線流となる。また、可動部材が噴出孔に挿入されると洗浄水は可動部材の外周面に沿って噴出されるため、断面が円環状の分散流となる。したがって、可動部材の位置により洗浄水の広がり角度が変化するとともに、洗浄水の密度が変化し、流量のみの調整とは異なる洗浄感が得られる。その結果、使用者は好みまたは体調に応じた種々の洗浄感および洗浄力を得ることができる。
【００２０】
噴出手段は、人体に洗浄水を噴出する人体洗浄ノズル装置を含んでもよい。この場合、人体の局部の洗浄面積を変化させることができる。
【００２１】
噴出手段は、便器に洗浄水を噴出する便器洗浄ノズル装置を含んでもよい。この場合、便器の洗浄面積を変化させることができる。したがって、便器の洗浄を効果的に行うことができる。
【００２２】
制御手段は、噴出手段から噴出される洗浄水の広がり角度を制御する電気的駆動部を含んでもよい。この場合、電気的駆動部により噴出手段から噴出される洗浄水の広がり角度を調整することができる。したがって、使用者は遠隔操作または自動で噴出手段から噴出される洗浄水の広がり角度を変化させることができる。
【００２３】
【発明の実施の形態】
以下、本発明の実施の形態に係る衛生洗浄装置について説明する。
【００２４】
（第１の実施の形態）
図１は第１の実施の形態に係る衛生洗浄装置を便器に装着した状態を示す斜視図である。
【００２５】
図１に示すように、便器６００上に衛生洗浄装置１００が装着される。タンク７００は、水道配管に接続されており、便器６００内に洗浄水を供給する。
【００２６】
衛生洗浄装置１００は、本体部２００、遠隔操作装置３００、便座部４００および蓋部５００により構成される。
【００２７】
本体部２００には、便座部４００および蓋部５００が開閉自在に取り付けられる。さらに、本体部２００には、ノズル部３０を含む洗浄水供給機構が設けられるとともに、制御部が内蔵されている。本体部２００の制御部は、後述するように遠隔操作装置３００により送信される信号に基いて、洗浄水供給機構を制御する。さらに、本体部２００の制御部は、便座部４００に内蔵されたヒータ、本体部２００に設けられた脱臭装置（図示せず）および温風供給装置（図示せず）等の制御も行う。
【００２８】
図２は図１の遠隔操作装置３００の一例を示す模式図である。
図２に示すように、遠隔操作装置３００は、複数のＬＥＤ（発光ダイオード）３０１、複数の調整スイッチ３０２、水勢変化スイッチ３０４、面積変化スイッチ３０３、おしりスイッチ３０５、刺激スイッチ３０６、停止スイッチ３０７、ビデスイッチ３０８、乾燥スイッチ３０９および脱臭スイッチ３１０を備える。
【００２９】
使用者により調整スイッチ３０２、面積変化スイッチ３０３、水勢変化スイッチ３０４、おしりスイッチ３０５、刺激スイッチ３０６、停止スイッチ３０７、ビデスイッチ３０８、乾燥スイッチ３０９および脱臭スイッチ３１０が押下操作される。それにより、遠隔操作装置３００は、後述する衛生洗浄装置１００の本体部２００に設けられた制御部に所定の信号を無線送信する。本体部２００の制御部は、遠隔操作装置３００より無線送信される所定の信号を受信し、洗浄水供給機構等を制御する。
【００３０】
例えば、使用者が、おしりスイッチ３０５またはビデスイッチ３０８を押下操作することにより図１の本体部２００のノズル部３０が移動して洗浄水が噴出する。刺激スイッチ３０６を押下操作することにより図１の本体部２００のノズル部３０から人体の局部に刺激を与える洗浄水が噴出される。停止スイッチ３０７を押下操作することによりノズル部３０からの洗浄水の噴出が停止する。
【００３１】
また、乾燥スイッチ３０９を押下操作することにより人体の局部に対して衛生洗浄装置１００の温風供給装置（図示せず）より温風が噴出される。脱臭スイッチ３１０を押下操作することにより衛生洗浄装置１００の脱臭装置（図示せず）により周辺の脱臭が行われる。
【００３２】
調整スイッチ３０２は、水勢調整スイッチ３０２ａ，３０２ｂ，３０２ｃ、洗浄面積調整スイッチ３０２ｄ，３０２ｅ，３０２ｆ、温度調整スイッチ３０２ｇ，３０２ｈおよびノズル位置調整スイッチ３０２ｉ，３０２ｊを含む。
【００３３】
使用者が、ノズル位置調整スイッチ３０２ｉ，３０２ｊを押下操作することにより図１の衛生洗浄装置１００の本体部２００のノズル部３０の位置が変化し、温度調整スイッチ３０２ｇ，３０２ｈを押下操作することにより、ノズル部３０より噴出される洗浄水の温度が変化する。また、水勢調整スイッチ３０２ａを押下操作することにより段階的にノズル部３０より噴出される洗浄水の水勢（流量）が変化し、水勢調整スイッチ３０２ｂ，３０２ｃを押下操作することにより連続的にノズル部３０より噴出される洗浄水の水勢（流量）が変化する。さらに、洗浄面積調整スイッチ３０２ｄを押下操作することにより段階的にノズル部３０より噴出される洗浄水の噴出形態が変化し、洗浄面積調整スイッチ３０２ｅ，３０２ｆを押下操作することにより連続的にノズル部３０より噴出される洗浄水の噴出形態が変化する。それにより、洗浄水の広がり角度が変化し、被洗浄面の洗浄面積が変化する。調整スイッチ３０２の押下に伴って複数のＬＥＤ（発光ダイオード）３０１が点灯する。
【００３４】
また、水勢変化スイッチ３０４を押下操作することにより、ノズル部３０より噴出される洗浄水の水勢（流量）が連続的に増加および減少を繰り返す。詳細は後述する。
【００３５】
さらに、面積変化スイッチ３０３を押下操作することにより、ノズル部３０より噴出される洗浄水の広がり角度が変化し、被洗浄面の洗浄面積が連続的に拡大および縮小を繰り返す。詳細は後述する。
【００３６】
以下、本実施の形態に係る衛生洗浄装置１００の本体部２００について説明を行う。図３は第１の実施の形態に係る衛生洗浄装置１００の本体部２００の構成を示す模式図である。
【００３７】
図３に示す本体部２００は、制御部４、分岐水栓５、ストレーナ６、逆止弁７、定流量弁８、止水電磁弁９、加熱装置１１、温度センサ１２、ポンプ１３、切替弁１４およびノズル部３０を含む。また、加熱装置１１は、温度センサ１１Ｓ、ヒータ１１ｈおよび貯湯タンク１１ｔを含み、ノズル部３０は、おしりノズル１、ビデノズル２およびノズル洗浄用ノズル３を含む。
【００３８】
図３に示すように、水道配管２０１に分岐水栓５が介挿される。また、分岐水栓５と加熱装置１１との間に接続される配管２０２に、ストレーナ６、逆止弁７、定流量弁８、および止水電磁弁９が順に介挿されている。さらに、加熱装置１１と切替弁１４との間に接続される配管２０３に、温度センサ１２およびポンプ１３が介挿されている。
【００３９】
まず、水道配管２０１を流れる浄水が、洗浄水として分岐水栓５によりストレーナ６に供給される。ストレーナ６により洗浄水に含まれるごみまたは不純物等が除去される。次に、逆止弁７により配管２０２内における洗浄水の逆流が防止される。そして、定流量弁８により配管２０２内を流れる洗浄水の流量が一定に維持される。
【００４０】
また、ポンプ１３と切替弁１４との間にはリリーフ配管２０４が接続され、止水電磁弁９と流量センサ１０との間には、逃がし水配管２０５が接続されている。リリーフ配管２０４には、リリーフ弁２０６が介挿されている。リリーフ弁２０６は、配管２０３の特にポンプ１３の下流側の圧力が所定値を超えると開成し、異常時の機器の破損、ホースの外れ等の不具合を防止する。一方、定流量弁８によって流量が調節され供給される洗浄水のうちポンプ１３で吸引されない洗浄水を逃がし水配管２０５から放出する。これにより、水道供給圧に左右されることなくポンプ１３には所定の背圧が作用することになる。
【００４１】
続いて、加熱装置１１は、制御部４により与えられる制御信号に基いて、配管２０２を通して供給された洗浄水を所定の温度に加熱する。加熱装置１１に備えられた温度センサ１１Ｓは貯湯タンク１１ｔに貯留される洗浄水の温度を測定し、制御部４に温度測定値を与える。また、温度センサ１２は、配管２０３内を流れる洗浄水の温度を測定し、制御部４に温度測定値を与える。
【００４２】
ポンプ１３は、加熱装置１１により加熱された洗浄水を制御部４により与えられる制御信号に基いて、切替弁１４に圧送する。切替弁１４は、制御部４により与えられる制御信号に基いて、ノズル部３０のおしりノズル１、ビデノズル２およびノズル洗浄用ノズル３のいずれか１つに洗浄水を供給する。それにより、おしりノズル１、ビデノズル２およびノズル洗浄用ノズル３のいずれか１つより洗浄水が噴出される。
【００４３】
制御部４は、図１の遠隔操作装置３００から無線送信される信号および温度センサ１１Ｓ，１２から与えられる温度測定値に基き止水電磁弁９、加熱装置１１、ポンプ１３および切替弁１４に対して制御信号を与える。
【００４４】
ここで、加熱装置１１の詳細について説明する。上述のように、加熱装置１１は温度センサ１１Ｓ、ヒーター１１ｈおよび貯湯タンク１１ｔを含む。加熱装置１１には、止水電磁弁９より配管２０２を通じて洗浄水が供給される。供給された洗浄水が貯湯タンク１１ｔの内部に貯留される。なお、止水電磁弁９は、制御部４より信号を受け取ることにより所定の量の洗浄水を加熱装置１１へ供給している。
【００４５】
加熱装置１１において、貯湯タンク１１ｔの内部に貯留された洗浄水はヒーター１１ｈにより所定の温度に加熱される。温度センサ１１Ｓは加熱された洗浄水の温度を測定し、測定した温度測定値を制御部４へ出力する。
【００４６】
加熱装置１１において、所定の温度に加熱された洗浄水は配管２０３を通じてポンプ１３へ送られる。ここで、加熱装置１１とポンプ１３との間には温度センサ１２が設けられている。温度センサ１２は配管２０３を流れる洗浄水の温度を測定し、温度測定値を制御部４へ出力する。
【００４７】
上記の動作において、制御部４は、温度センサ１１Ｓ，１２より与えられる温度測定値に基づいて、加熱装置１１のヒーター１１ｈをフィードバック制御する。
【００４８】
本実施の形態においては、制御部４がフィードバック制御により加熱装置１１のヒータ１１ｈを制御することとしたが、これに限定されずフィードフォワード制御によりヒータ１１ｈを制御してもよく、あるいは、温度上昇時にはフィードフォワード制御によりヒータ１１ｈを制御し、定常時にはフィードバック制御によりヒータ１１ｈを制御する複合的な制御を行ってもよい。
【００４９】
図４は、本実施の形態に係るポンプ１３の構造の一例を示す断面図である。図４のポンプはギアポンプである。
【００５０】
図４によれば、ポンプ１３は、ギアケース９２０、歯車９２Ａ，９２Ｂ、台座９２１およびモータ（図示せず）により構成されている。ここで、ギアケース９２０の一側部には、洗浄水入口ＩＮが設けられ、他側部には洗浄水出口OUが設けられている。そして、ギアケース９２０の内部には、モータ（図示せず）により回転する２つの歯車９２Ａ，９２Ｂが組み込まれている。なお、ギアケース９２０は、台座９２１により保持されている。ここで、モータ（図示せず）の回転は図３の制御部４により制御されている。
【００５１】
ポンプ１３は、２つの歯車９２Ａ，９２Ｂが回転することにより洗浄水入口ＩＮに供給される洗浄水を洗浄水出口ＯＵより圧出する。図４において、歯車９２Ａは矢印Ｒ９１の方向（時計回り）に回転し、歯車９２Ｂは矢印Ｒ９２の方向（反時計回り）に回転する。
【００５２】
これにより、２つの歯車９２Ａ，９２Ｂとギアケース９２０との間に生じる空間（歯車９２Ａ，９２Ｂの有する歯の谷部）に洗浄水入口ＩＮからの洗浄水が導入され、歯車９２Ａ，９２Ｂの回転に応じて洗浄水が洗浄水出口OUへ送られる。
【００５３】
上記のポンプ１３は、構造が単純であり、故障が少なく、また、生産コストが低いなどの特徴を有する。
【００５４】
以下に、ポンプ１３の動作に基づく洗浄水の吐出流量の変化について説明する。なお、本実施の形態に係る衛生洗浄装置１００においては、切替弁１４を切り替えることにより、以下に示す流量の変化をおしりノズル１またはビデノズル２より噴出する洗浄水に与えることができる。
【００５５】
使用者が図２の水勢調整スイッチ３０２ａ，３０２ｂを押下し、水勢を「強」に設定した場合、制御部４はポンプ１３のモータ（図示せず）の回転数を大きくする。これにより、図４の歯車９２Ａ，９２Ｂの回転速度が速くなる。その結果、ポンプ１３の吐出流量が大きくなる。
【００５６】
また、使用者が図２の水勢調整スイッチ３０２ａ，３０２ｂ，３０２ｃを押下し、水勢を「中」に設定した場合、制御部４はモータ（図示せず）の回転数を中程度にする。これにより、図４の歯車９２Ａ，９２Ｂの回転速度が中程度となる。その結果、ポンプ１３の吐出流量が中程度となる。
【００５７】
さらに、使用者が図２の水勢調整スイッチ３０２ａ，３０２ｃを押下し、水勢を「弱」に設定した場合、制御部４はモータ（図示せず）の回転数を小さくする。これにより、図４の歯車９２Ａ，９２Ｂの回転速度が遅くなる。その結果、ポンプ１３の吐出流量が小さくなる。
【００５８】
使用者が図２の水勢変化スイッチ３０４を押下すると、制御部４はモータ（図示せず）の回転数を周期的に増加および減少させることを繰り返す。それにより、図４の歯車９２Ａ，９２Ｂの回転速度が周期的に増加および減少する。その結果、ポンプ１３の吐出流量が周期的に増加および減少することを繰り返す。
【００５９】
本実施の形態に係る衛生洗浄装置１００においては、水勢の調整がポンプ１３のモータ（図示せず）の回転数を変化させることにより行われる。これにより、使用者は、水勢調整スイッチ３０２ａ，３０２ｂ，３０２ｃにより、ノズル部３０から噴出される洗浄水の流量を調整することができる。このように、ポンプ１３の吐出流量を連続的に変化させることにより、おしりノズル１またはビデノズル２から噴出される洗浄水の流量をそれぞれ連続的に変化させることができる。それにより、使用者の好みまたは体調に応じた種々の洗浄感を得ることが可能となる。なお、本実施の形態では、ポンプ１３の吐出流量を変化させることにより、ノズル部３０から噴出される洗浄水の流量を変化させているが切替弁１４の回転角度を制御することによりノズル部３０から噴出される洗浄水の流量を変化させてもよい。
【００６０】
図５（ａ）は切替弁１４の縦断面図であり、図５（ｂ）は図５（ａ）の切替弁１４のＡ−Ａ線断面図であり、図５（ｃ）は図５（ａ）の切替弁１４のＢ−Ｂ線断面図であり、図５（ｄ）は図５（ａ）の切替弁１４のＣ−Ｃ線断面図である。
【００６１】
図５に示す切替弁１４は、モータ１４１、内筒１４２および外筒１４３により構成される。
【００６２】
外筒１４３内に内筒１４２が挿入され、モータ１４１の回転軸が内筒１４２に取り付けられている。モータ１４１は、制御部４により与えられる制御信号に基いて回転動作を行う。モータ１４１が回転することにより内筒１４２が回転する。
【００６３】
図５（ａ），（ｂ），（ｃ），（ｄ）に示すように、外筒１４３の一端には、洗浄水入口１４３ａが設けられ、側部の対向する位置に洗浄水出口１４３ｂ，１４３ｃが設けられ、側部の洗浄水出口１４３ｂ，１４３ｃと異なる位置に洗浄水出口１４３ｄが設けられ、側部の洗浄水出口１４３ｂ，１４３ｃ，１４３ｄと異なる位置に洗浄水出口１４３ｅが設けられている。内筒１４２の互いに異なる位置に孔１４２ｅ，１４２ｆ，１４２ｇが設けられている。孔１４２ｅ，１４２ｆの周辺には、図５（ｂ），（ｃ）に示すように、曲線および直線で構成される面取り部（凹部）が形成され、孔１４２ｇの周辺には、図５（ｄ）に示すように、直線で構成される面取り部（凹部）が形成されている。
【００６４】
内筒１４２の回転により、孔１４２ｅが外筒１４３の洗浄水出口１４３ｂまたは１４３ｃと対向可能になっており、孔１４２ｆが外筒１４３の洗浄水出口１４３ｄと対向可能になっており、孔１４２ｇが外筒１４３の洗浄水出口１４３ｅと対向可能になっている。
【００６５】
洗浄水入口１４３ａには、図３の配管２０３が接続され、洗浄水出口１４３ｂには、ビデノズル２が接続され、洗浄水出口１４３ｃには、おしりノズル１の第１の流路が接続され、洗浄水出口１４３ｄには、おしりノズルの第２の流路が接続され、洗浄水出口１４３ｅには、ノズル洗浄用ノズル３が接続されている。
【００６６】
図６は図５の切替弁１４の動作を示す断面図である。
図６（ａ）〜（ｆ）は切替弁１４のモータ１４１がそれぞれ０度、９０度、１３５度、１８０度、２２５度および２７０度回転した状態を示す。
【００６７】
まず、図６（ａ）に示すように、モータ１４１を回転させない（０度）場合には、内筒１４２の孔１４２ｅの周囲の面取り部（凹部）が外筒１４３の洗浄水出口１４３ｂに対向する。したがって、洗浄水が洗浄水入口１４３ａより内筒１４２の内部を通過して、矢印Ｗ１で示すように洗浄水出口１４３ｂから流出する。
【００６８】
次に、図６（ｂ）に示すように、モータ１４１が内筒１４２を９０度回転させた場合には、内筒１４２の孔１４２ｇの周囲の面取り部（凹部）が外筒１４３の洗浄水出口１４３ｅに対向する。したがって、洗浄水が洗浄水入口１４３ａより内筒１４２の内部を通過して、矢印Ｗ２で示すように洗浄水出口１４３ｅから流出する。
【００６９】
次いで、図６（ｃ）に示すように、モータ１４１が内筒１４２を１３５度回転させた場合には、内筒１４２の孔１４２ｇの周囲の面取り部（凹部）の一部が外筒１４３の洗浄水出口１４３ｅに対向するとともに、内筒１４２の孔１４２ｅの周囲の面取り部（凹部）の一部が外筒１４３の洗浄水出口１４３ｃに対向する。したがって、少量の洗浄水が洗浄水入口１４３ａより内筒１４２の内部を通過して、矢印Ｗ２および矢印Ｗ３で示すように洗浄水出口１４３ｃ，１４３ｅから流出する。
【００７０】
次に、図６（ｄ）に示すように、モータ１４１が内筒１４２を１８０度回転させた場合には、内筒１４２の孔１４２ｅの周囲の面取り部（凹部）が外筒１４３の洗浄水出口１４３ｃに対向する。したがって、洗浄水が洗浄水入口１４３ａより内筒１４２の内部を通過して、矢印Ｗ３で示すように洗浄水出口１４３ｃから流出する。
【００７１】
次に、図６（ｅ）に示すように、モータ１４１が内筒１４２を２２５度回転させた場合には、内筒１４２の孔１４２ｅの周囲の面取り部（凹部）の一部が外筒１４３の洗浄水出口１４３ｃに対向するとともに、内筒１４２の孔１４２ｆの周囲の面取り部（凹部）の一部が外筒１４３の洗浄水出口１４３ｄに対向する。したがって、少量の洗浄水が洗浄水入口１４３ａより内筒１４２の内部を通過して、矢印Ｗ３および矢印Ｗ４で示すように洗浄水出口１４３ｃ，１４３ｄから流出する。
【００７２】
また、図６（ｆ）に示すように、モータ１４１が内筒１４２を２７０度回転させた場合には、内筒１４２の孔１４２ｆの周囲の面取り部（凹部）が外筒１４３の洗浄水出口１４３ｄに対向する。したがって、洗浄水が洗浄水入口１４３ａより内筒１４２の内部を通過して、矢印Ｗ４で示すように洗浄水出口１４３ｄから流出する。
【００７３】
以上のように、制御部４からの制御信号に基いてモータ１４１が回転することにより内筒１４２の孔１４２ｅ，１４２ｆ，１４２ｇのいずれかが外筒１４３の洗浄水出口１４３ｂ〜１４３ｅに対向し、洗浄水入口１４３ａから流入した洗浄水が洗浄水出口１４３ｂ〜１４３ｅのいずれかから流出する。
【００７４】
図７は図６の切替弁１４の洗浄水出口１４３ｃ，１４３ｄからおしりノズル１に流出する洗浄水の流量、洗浄水出口１４３ｂからビデノズル２に流出する洗浄水の流量および洗浄水出口１４３ｅからノズル洗浄ノズル３に流出する洗浄水の流量を示す図である。図７の横軸はモータ１４１の回転角度を示し、縦軸は洗浄水出口１４３ｂ〜１４３ｅから流出する洗浄水の流量を示す。また、実線Ｑ１が洗浄水出口１４３ｃからおしりノズル１に流出する洗浄水の流量の変化を示し、一点鎖線Ｑ２が洗浄水出口１４３ｄからおしりノズル１に流出する洗浄水の流量の変化を示し、二点鎖線Ｑ３が洗浄水出口１４３ｂからビデノズル２に流出する洗浄水の流量の変化を示し、破線Ｑ４が洗浄水出口１４３ｅからノズル洗浄ノズル３に流出する洗浄水の流量の変化を示す。
【００７５】
例えば、図７に示すように、モータ１４１が回転しない場合（０度）、洗浄水出口１４３ｂからビデノズル２に流出する洗浄水の流量Ｑ３は最大値を示す。そして、モータ１４１の回転角度が大きくなるとともに洗浄水出口１４３ｂからビデノズル２に流出する洗浄水の流量Ｑ３が減少し、洗浄水出口１４３ｅからノズル洗浄ノズル３に流出する洗浄水の流量Ｑ４が増加する。
【００７６】
次いで、モータ１４１が９０度回転した場合、洗浄水出口１４３ｅからノズル洗浄ノズル３に流出する洗浄水の流量Ｑ４は最大値を示す。そして、モータ１４１の回転角度がさらに大きくなるとともに洗浄水出口１４３ｅからノズル洗浄ノズル３に流出する洗浄水の流量Ｑ４が減少し、洗浄水出口１４３ｃからおしりノズル１に流出する洗浄水の流量Ｑ１が増加する。
【００７７】
続いて、モータ１４１が１８０度回転した場合、洗浄水出口１４３ｃからおしりノズル１に流出する洗浄水の流量Ｑ１は最大値を示す。そして、モータ１４１の回転角度がさらに大きくなるとともに洗浄水出口１４３ｃからおしりノズル１に流出する洗浄水の流量Ｑ１が減少し、洗浄水出口１４３ｄからおしりノズル１に流出する洗浄水の流量Ｑ２が増加する。
【００７８】
続いて、モータ１４１が２７０度回転した場合、洗浄水出口１４３ｄからおしりノズル１に流出する洗浄水の流量Ｑ２は最大値を示す。そして、モータ１４１の回転角度がさらに大きくなるとともに洗浄水出口１４３ｄからおしりノズル１に流出する洗浄水の流量Ｑ２が減少し、洗浄水出口１４３ｂからビデノズル２に流出する洗浄水の流量Ｑ３が増加する。
【００７９】
以上のように、制御部４が切替弁１４のモータ１４１の回転角度を制御することにより洗浄水出口１４３ｂ〜１４３ｅから流出する洗浄水の流量を制御することができる。さらに、切替弁１４のモータ１４１の回転角度がいかなる場合でも、洗浄水出口１４２ｅ，１４２ｆ，１４２ｇのいずれかまたはそれらの周囲の面取り部（凹部）が洗浄水出口１４３ｂ〜１４３ｅのいずれかに対向するので、洗浄水の流路が閉塞されず、洗浄水入口１４３ａから供給された洗浄水は、洗浄水出口１４３ｂ〜１４３ｅのいずれかから流出される。
【００８０】
次に、図３のノズル部３０について説明する。図８は図３のノズル部３０および切替弁１４の模式的断面図である。
【００８１】
図８に示すように、切替弁１４の洗浄水出口１４３ｃ，１４３ｄは、おしりノズル１に接続され、切替弁１４の洗浄水出口１４３ｂはビデノズル２に接続され、切替弁１４の洗浄水出口１４３ｅはノズル洗浄ノズル３に接続される。
【００８２】
まず、おしりノズル１の構成について説明し、次いで、ビデノズル２の構成について説明し、最後にノズル洗浄ノズル３の構成について説明する。
【００８３】
おしりノズル１は、円筒状のピストン部２０、円筒状のシリンダ部２１、シールパッキン２２ａ，２２ｂおよびスプリング２３により構成される。
【００８４】
ピストン部２０の先端近傍には、洗浄水を噴出するための噴出孔２５が形成されている。ピストン部２０の後端には、フランジ形状のストッパ部２６ａ，２６ｂが設けられている。また、ストッパ部２６ａ，２６ｂには、それぞれシールパッキン２２ａ，２２ｂが装着されている。ピストン部２０の内部には、後端面から噴出孔２５に連通する第１の流路２７ａが形成され、ストッパ部２６ａとストッパ部２６ｂとの間におけるピストン部２０の周面から噴出孔２５に連通する第２の流路２７ｂが形成されている。また、噴出孔２５の周囲には、円筒状渦室２９が形成されており、第１の流路２７ａと円筒状渦室２９との間には、縮流部３１が介挿されている。
【００８５】
一方、シリンダ部２１は、先端側の径小部分と中間の径を有する中間部分と後端側の径大部分とからなる。それにより、径小部分と中間部分との間に、ピストン部２０のストッパ部２６ａがシールパッキン２２ａを介して当接可能なストッパ面２１ｃが形成され、中間部分と径大部分との間に、ピストン部２０のストッパ部２６ｂがシールパッキン２２ｂを介して当接可能なストッパ面２１ｂが形成されている。シリンダ部２１の後端面には、洗浄水入口２４ａが設けられ、シリンダ部２１の中間部分の周面には、洗浄水入口２４ｂが設けられ、シリンダ部２１の先端面には、開口部２１ａが設けられている。シリンダ部２１の内部空間が温度変動緩衝部２８となる。洗浄水入口２４ａは、シリンダ部２１の中心軸とは異なる位置に偏心して設けられている。洗浄水入口２４ａは、切替弁１４の洗浄水出口１４３ｃに接続され、洗浄水入口２４ｂは、切替弁１４の洗浄水出口１４３ｄに接続されている。ピストン部２０がシリンダ部２１より最も突出した場合に、洗浄水入口２４ｂは、第２の流路２７ｂと連通する。この洗浄水入口２４ｂが第２の流路２７ｂと接続する詳細については後述する。
【００８６】
ピストン部２０は、ストッパ部２６ｂが温度変動緩衝部２８内に位置し、先端部が開口部２１ａから突出するように、シリンダ部２１内に移動可能に挿入されている。
【００８７】
さらに、スプリング２３は、ピストン部２０のストッパ部２６ａとシリンダ部２１の開口部２１ａの周縁との間に配設されており、ピストン部２０をシリンダ部２１の後端側に付勢する。
【００８８】
ピストン部２０のストッパ部２６ａ，２６ｂの外周面とシリンダ部２１の内周面との間に微小隙間が形成され、ピストン部２０の外周面とシリンダ部２１の開口部２１ａの内周面との間に微小隙間が形成されている。
【００８９】
次に、ビデノズル２は、円筒状のピストン部２０ｅ、円筒状のシリンダ部２１ｅ、シールパッキン２２ｅおよびスプリング２３ｅにより構成される。
【００９０】
ピストン部２０ｅの先端近傍には、洗浄水を噴出するための噴出孔２５ｅが形成されている。ピストン部２０ｅの後端には、フランジ形状のストッパ部２６ｅが設けられている。また、ストッパ部２６ｅには、シールパッキン２２ｅが装着されている。ピストン部２０ｅの内部には、後端面から噴出孔２５に連通する流路２７ｅが形成されている。
【００９１】
一方、シリンダ部２１ｅは、先端側の径小部分と後端側の径大部分とからなる。それにより、径小部分と径大部分との間に、ピストン部２０ｅのストッパ部２６ｅがシールパッキン２２ｅを介して当接可能なストッパ面２１ｆが形成されている。シリンダ部２１ｅの後端面には、洗浄水入口２４ｅが設けられ、シリンダ部２１ｅの先端面には、開口部２１ｇが設けられている。シリンダ部２１ｅの内部空間が温度変動緩衝部２８ｅとなる。洗浄水入口２４ｅは、シリンダ部２１ｅの中心軸とは異なる位置に偏心して設けられている。洗浄水入口２４ｅは、切替弁１４の洗浄水出口１４３ｂに接続されている。
【００９２】
ピストン部２０ｅは、ストッパ部２６ｅが温度変動緩衝部２８ｅ内に位置し、先端部が開口部２１ｇから突出するように、シリンダ部２１ｅ内に移動可能に挿入されている。
【００９３】
さらに、スプリング２３ｅは、ピストン部２０ｅのストッパ部２６ｅとシリンダ部２１ｅの開口部２１ｇの周縁との間に配設されており、ピストン部２０ｅをシリンダ部２１ｅの後端側に付勢する。
【００９４】
ピストン部２０ｅのストッパ部２６ｅの外周面とシリンダ部２１ｅの内周面との間に微小隙間が形成され、ピストン部２０ｅの外周面とシリンダ部２１ｅの開口部２１ｇの内周面との間に微小隙間が形成されている。
【００９５】
次に、ノズル洗浄ノズル３は、円筒状の噴出部２０ｋにより構成される。噴出部２０ｋの先端近傍には、おしりノズル１側に洗浄水を噴出するための噴出孔２５ｋとビデノズル２側に洗浄水を噴出するための噴出孔２５ｍとが形成される。噴出部２０ｋの後端には洗浄水入口２４ｋが設けられる。噴出部２０ｋの後端に設けられた洗浄水入口２４ｋから噴出孔２５ｋおよび噴出孔２５ｍに連通する流路２７ｋが形成される。洗浄水入口２４ｋは、切替弁１４の洗浄水出口１４３ｅに接続されている。
【００９６】
それにより、切替弁１４の洗浄水出口１４３ｅより供給された洗浄水が、ノズル洗浄ノズル３の噴出部２０ｋの洗浄水入口２４ｋを介して流路２７ｋを通して、噴出孔２５ｋおよび噴出孔２５ｍより噴出される。噴出孔２５ｋおよび噴出孔２５ｍより噴出された洗浄水により、おしりノズル１およびビデノズル２の洗浄が行われる。
【００９７】
次いで、図８のおしりノズル１およびビデノズル２の動作について説明する。まず、おしりノズル１の動作について説明し、次に、ビデノズル２の動作について説明する。図９は図８のおしりノズル１の動作を説明するための断面図である。
【００９８】
図９（ａ）に示すように、シリンダ部２１の洗浄水入口２４ａ，２４ｂより洗浄水が供給されない場合、ピストン部２０が、スプリング２３の弾性力により矢印Ｘの方向と逆方向に後退し、シリンダ部２１内に収容されている。その結果、ピストン部２０は、シリンダ部２１の開口部２１ａより最も突出していない状態となる。このとき、シリンダ部２１内には、温度変動緩衝部２８が形成されない。
【００９９】
次いで、図９（ｂ）に示すように、シリンダ部２１の洗浄水入口２４ａより洗浄水の供給が開始された場合、洗浄水の圧力によりピストン部２０がスプリング２３の弾性力に抗して矢印Ｘの方向に徐々に前進する。それにより、シリンダ部２１内に温度変動緩衝部２８が形成されるとともに温度変動緩衝部２８に洗浄水が流入する。
【０１００】
洗浄水入口２４ａがシリンダ部２１の中心軸に対して偏心した位置に設けられているので、温度変動緩衝部２８に流入した洗浄水は、矢印Ｖで示すように渦巻状に還流する。温度変動緩衝部２８の洗浄水の一部は、ピストン部２０のストッパ部２６ａ，２６ｂの外周面とシリンダ部２１の内周面との間の微小隙間を通して、ピストン部２０の外周面とシリンダ部２１の開口部２１ａの内周面との間の微小隙間から流れ出るとともに、ピストン部２０の第１の流路２７ａを通して円筒状渦室２９に供給され、噴出孔２５からわずかに噴出される。円筒状渦室２９の詳細については後述する。
【０１０１】
ピストン部２０がさらに前進すると、図９（ｃ）に示すように、ストッパ部２６ａ，２６ｂがシールパッキン２２ａ，２２ｂを介してシリンダ部２１のストッパ面２１ｃ，２１ｂに水密に接触する。それにより、ピストン部２０のストッパ部２６ａ，２６ｂの外周面とシリンダ部２１の内周面との間の微小隙間からピストン部２０の外周面とシリンダ部２１の開口部２１ａの内周面との間の微小隙間に至る流路が遮断される。さらに、洗浄水入口２４ｂより供給された洗浄水が、ピストン部２０の第２の流路２７ｂを通して円筒状渦室２９に供給される。それにより、ピストン部２０の第２の流路２７ｂを通して円筒状渦室２９に供給された洗浄水は、ピストン部２０の第１の流路２７ａを通して供給された洗浄水と混合され、噴出孔２５から噴出される。
【０１０２】
このように、切替弁１４の洗浄水出口１４３ｃ，１４３ｄより供給された洗浄水が、シリンダ部２１の洗浄水入口２４ａ，２４ｂを介してピストン部２０内の第１の流路２７ａおよび第２の流路２７ｂを通して円筒状渦室２９に導かれ、円筒状渦室２９を通して噴出孔２５から噴出される。
【０１０３】
次いで、図８のビデノズル２の動作について説明する。図１０は図８のビデノズル２の動作を説明するための断面図である。
【０１０４】
まず、図１０（ａ）に示すように、シリンダ部２１ｅの洗浄水入口２４ｅより洗浄水が供給されない場合、ピストン部２０ｅが、スプリング２３ｅの弾性力により矢印Ｘの方向と逆方向に後退し、シリンダ部２１ｅ内に収容されている。その結果、ピストン部２０ｅは、シリンダ部２１ｅの開口部２１ｇより最も突出していない状態となる。このとき、シリンダ部２１ｅ内には、温度変動緩衝部２８ｅが形成されない。
【０１０５】
次いで、図１０（ｂ）に示すように、シリンダ部２１ｅの洗浄水入口２４ｅより洗浄水の供給が開始された場合、洗浄水の圧力によりピストン部２０ｅがスプリング２３ｅの弾性力に抗して矢印Ｘの方向に徐々に前進する。それにより、シリンダ部２１ｅ内に温度変動緩衝部２８ｅが形成されるとともに温度変動緩衝部２８ｅに洗浄水が流入する。
【０１０６】
洗浄水入口２４ｅがシリンダ部２１ｅの中心軸に対して偏心した位置に設けられているので、温度変動緩衝部２８ｅに流入した洗浄水は、矢印Ｖで示すように渦巻状に還流する。温度変動緩衝部２８ｅの洗浄水の一部は、ピストン部２０ｅのストッパ部２６ｅの外周面とシリンダ部２１ｅの内周面との間の微小隙間を通して、ピストン部２０ｅの外周面とシリンダ部２１ｅの開口部２１ｇの内周面との間の微小隙間から流れ出るとともに、ピストン部２０ｅの流路２７ｅを通して、噴出孔２５ｅからわずかに噴出される。
【０１０７】
ピストン部２０ｅがさらに前進すると、図１０（ｃ）に示すように、ストッパ部２６ｅがシールパッキン２２ｅを介してシリンダ部２１ｅのストッパ面２１ｆに水密に接触する。それにより、ピストン部２０ｅのストッパ部２６ｅの外周面とシリンダ部２１ｅの内周面との間の微小隙間からピストン部２０ｅの外周面とシリンダ部２１ｅの開口部２１ｇの内周面との間の微小隙間に至る流路が遮断される。それにより、ピストン部２０ｅの流路２７ｅを通して噴出孔２５ｅから噴出される。
【０１０８】
このように、切替弁１４の洗浄水出口１４３ｂより供給された洗浄水が、シリンダ部２１ｅの洗浄水入口２４ｅを介してピストン部２０ｅ内の流路２７ｅを通して円噴出孔２５ｅから噴出される。
【０１０９】
次いで、図１１は図８のおしりノズル１のピストン部２０の先端部の模式図である。図１１（ａ）はピストン部２０の先端部を上面から見た場合を示し、図１１（ｂ）はピストン部２０の先端部を側面から見た場合を示す。
【０１１０】
まず、図１１（ｂ）に示すように、第１の流路２７ａは、円筒状の円筒状渦室２９の周面に接続され、第２の流路２７ｂは円筒状渦室２９の底面に接続されている。切替弁１４の洗浄水出口１４３ｃ，１４３ｄからの洗浄水が第１の流路２７ａおよび第２の流路２７ｂに供給される。
【０１１１】
図１１（ａ）に示すように、第１の流路２７ａより円筒状渦室２９に供給された洗浄水は、円筒状渦室２９の内周面の曲面形状により矢印Ｚに示す渦巻状態で流動する。一方、第２の流路２７ｂより円筒状渦室２９に供給された洗浄水は、垂直上方向に直線状態で流動する。
【０１１２】
このように、円筒状渦室２９において第１の流路２７ａの渦巻状態の洗浄水と第２の流路２７ｂの直線状の洗浄水とが混合され、噴出孔２５より洗浄水が噴出される。
【０１１３】
例えば、第１の流路２７ａより供給される洗浄水の流量が第２の流路２７ｂより供給される洗浄の流量よりも多い場合、円筒状渦室２９において混合される洗浄水は、円筒状の円筒状渦室２９の曲面形状による渦巻状態を強く維持するため、図１１（ｂ）に示す矢印Ｈの広い角度で分散旋回流として噴出される。一方、第２の流路２７ｂより供給される洗浄水の流量が第１の流路２７ａより供給される洗浄水の流量よりも多い場合、円筒状渦室２９において混合される洗浄水は、直線状態を強く維持するため、図１１（ｂ）に示す矢印Ｓの狭い角度で直線流として噴出される。
【０１１４】
したがって、制御部４が切替弁１４のモータ１４１を制御して洗浄水出口１４３ｃ，１４３ｄの流量比を変化させることにより、噴出孔２５より噴出される洗浄水の噴出形態が変化する。
【０１１５】
本実施の形態では、おしりスイッチ３０５の押下後、洗浄面積調整スイッチ３０２ｆを押下すると、洗浄水出口１４３ｃでの洗浄水の流量が洗浄水出口１４３ｄでの洗浄水の流量よりも大きくなり、洗浄水の噴出形態が直線流に近づく。それにより、洗浄水の広がり角度が小さくなる。おしりスイッチ３０５の押下後、洗浄面積調整スイッチ３０２ｅを押下すると、洗浄水出口１４３ｄでの洗浄水の流量が洗浄水出口１４３ｃでの洗浄水の流量よりも大きくなり、洗浄水の噴出形態が分散旋回流に近づく。それにより、洗浄水の広がり角度が大きくなる。
【０１１６】
また、おしりスイッチ３０５の押下後、大きい値を有する洗浄面積調整スイッチ３０２ｄを押下すると、洗浄水出口１４３ｃでの洗浄水の流量が洗浄水出口１４３ｄでの洗浄水の流量よりも大きくなり、洗浄水の噴出形態が直線流に近づく。それにより、洗浄水の広がり角度が小さくなる。おしりスイッチ３０５の押下後、小さい値を有する洗浄面積調整スイッチ３０２ｄを押下すると、洗浄水出口１４３ｄでの洗浄水の流量が洗浄水出口１４３ｃでの洗浄水の流量よりも大きくなり、洗浄水の噴出形態が分散旋回流に近づく。それにより、洗浄水の広がり角度が大きくなる。
【０１１７】
図１２（ａ）〜（ｅ）は、第１の実施の形態に係る切替弁の回転角度、ポンプの駆動状態および洗浄水を噴出するノズルの関係の説明図である。
【０１１８】
図１２（ａ）〜（ｅ）は、切替弁１４がそれぞれ０度、９０度、１８０度、２２５度および２７０度回転した状態を示す。
【０１１９】
まず、切替弁１４を回転させない（０度）場合には、ポンプの駆動状態はオンであり、洗浄水は図１２（ａ）の矢印Ｗ１で示すように洗浄水出口１４３ｂから流出し、図８のビデノズル２から噴出する。
【０１２０】
次に、切替弁１４を０度から９０度回転させる間は、ポンプの駆動状態はオフであるから、洗浄水は流出しない。
【０１２１】
次いで、切替弁１４を９０度回転させた場合には、ポンプの駆動状態はオンであり、洗浄水は図１２（ｂ）の矢印Ｗ２で示すように洗浄水出口１４３ｅから流出し、図８のノズル洗浄ノズル３から噴出する。
【０１２２】
次に、切替弁１４を９０度から１８０度まで回転させる間は、ポンプの駆動状態はオフであるから、洗浄水は流出しない。
【０１２３】
次いで切替弁１４を１８０度回転させた場合には、ポンプの駆動状態はオンであり、洗浄水は図１２（ｃ）の矢印Ｗ３で示すように洗浄水出口１４３ｃから流出し、図８のおしりノズル１から噴出する。なお、この場合には、図１１（ｂ）で説明したように洗浄水は分散旋回流として噴出される。
【０１２４】
次に、切替弁１４を１８０度から２７０まで度回転させる間は、ポンプの駆動状態はオンであり、洗浄水は図１２（ａ）の矢印Ｗ３，Ｗ４で示すように洗浄水出口１４３ｃ，１４３ｄから流出し、おしりノズル１から噴出する。なお、この場合には、図１１（ｂ）で説明したように洗浄水出口１４３ｃ，１４３ｄから流出する洗浄水の流量比が変化し、洗浄水の噴出形態が分散旋回流から直線流に近づく。
【０１２５】
次に切替弁１４を２７０度回転させた場合には、ポンプの駆動状態はオンであり、洗浄水が図１２（ｅ）の矢印Ｗ４で示すように洗浄水出口１４３ｄのみから流出するため、図１１（ｂ）で説明したように洗浄水は直線流として噴出する。
【０１２６】
図１３は、衛生洗浄装置２００の動作の一例を示すグラフである。図１３の縦軸は切替弁の回転角度およびポンプの駆動状態であり、横軸は時間である。
【０１２７】
まず、遠隔操作装置３００のおしりスイッチ３０５を押下操作することにより切替弁１４が０度から９０度まで回転して時点ｔ１で停止する。時点ｔ１でポンプの駆動状態はオンとなり、ノズル洗浄ノズル３から洗浄水が噴出し、時点ｔ２までおしりノズル１およびビデノズル２の洗浄が行われる。続いて、切替弁１４が９０度から１８０度まで回転して時点ｔ３で停止する。時点ｔ３でポンプの駆動状態はオンとなり、おしりノズル１から洗浄水が噴出される。なお、この場合には、図１１で説明したように洗浄水は分散旋回流として噴出される。
【０１２８】
次に、時点ｔ４で、遠隔操作装置３００の洗浄面積調整スイッチ３０２ｅを押下操作すると、切替弁は２７０度まで回転して時点ｔ５で停止する。時点ｔ４から時点ｔ５までの間は切替弁１４の回転角度が１８０度から２７０度に変化するため、図１１で説明したように噴出形態が分散旋回流から直線流へと変化する。それに伴い、洗浄水の広がり角度が変化し、洗浄面積が変化する。
【０１２９】
次いで、時点ｔ６で遠隔操作装置３００の洗浄面積調整スイッチ３０２ｆを押下操作すると、切替弁が逆回転し、２７０度から１８０度まで回転して時点ｔ７で停止する。時点ｔ６から時点ｔ７までの間は、噴出形態が直線流から分散旋回流へと変化する。それに伴い、洗浄水の広がり角度が変化し、洗浄面積が変化する。なお、図１３のグラフから明らかなように切替弁１４が１８０度から２７０度まで回転する速度と２７０度から１８０度まで回転する速度は異なっている。詳細は後述する。
【０１３０】
次に、時点ｔ８で隔操作装置３００の停止スイッチ３０７を押下操作すると、切替弁１４が１８０度から９０度まで回転して時点ｔ９で停止する。なお、時点ｔ８から時点ｔ９までの間は、ポンプの駆動状態はオフであるため、洗浄水は噴出されない。時点ｔ９でポンプの駆動状態はオンとなり、ノズル洗浄ノズル３から洗浄水が噴出し、おしりノズル１およびビデノズル２の洗浄が行われる。時点ｔ１０で切替弁１４が０度まで回転して時点ｔ１１で停止する。なお、時点ｔ１０から時点ｔ１１の間は、ポンプの駆動状態はオフであるため、洗浄水は噴出されない。
【０１３１】
図１４は、おしりノズル１から噴出される洗浄水の噴出形態の変化を示した模式図である。
【０１３２】
図１４で示すように、洗浄水の広がり角度が縮小する場合の広がり角度の変化速度（以下、縮小速度と呼ぶ）をＶ１とし、洗浄水の広がり角度が拡大する場合の広がり角度の変化速度（以下、拡大速度と呼ぶ）をＶ２とする。図１４に示すように、拡大速度Ｖ２よりも縮小速度Ｖ１の方が小さくなるように、図５のモータ１４１の回転速度が制御される。それにより、図１３のグラフでは、切替弁１４が１８０度から２７０度に変化する場合の時間よりも、２７０度から１８０度に変化する場合の時間が小さくなっている。すなわち、洗浄面積が大きくなる速度よりも小さくなる速度の方が小さく設定されている。
【０１３３】
遠隔操作装置３００の面積変化スイッチ３０３を押下操作すると、自動的に洗浄水の広がり角度が拡大と縮小を繰り返す。このとき、拡大速度よりも縮小速度の方が小さい。その結果、外側から内側中心に向かって汚れを落とすように作用し、外周への汚れの飛散を防止できる。
【０１３４】
図１５は、洗浄水の流量を一定とした場合における洗浄面積に対する洗浄体感強度のグラフである。縦軸は洗浄体感強度、横軸はおしりノズル１から噴出される洗浄水の洗浄面積である。図１５に示す曲線ＳＴのように、洗浄面積が大きくなると洗浄体感強度は小さくなり、洗浄面積が小さくなると洗浄体感強度は大きくなる。したがって、洗浄面積を変化させることにより洗浄体感強度を変化させることができる。
【０１３５】
本実施の形態に係る衛生洗浄装置１００においては、水道配管２０１が給水源に相当し、ノズル部３０が噴出手段に相当し、おしりノズル１、ビデノズル２およびノズル洗浄ノズル３が複数のノズル装置に相当し、第１の流路２７ａが第１の流路に相当し、第２の流路２７ｂが第２の流路に相当し、円筒状渦室２９が回転流生成手段に相当し、切替弁１４が流量調整手段および切替手段に相当し、制御部４が制御手段および指令手段に相当し、水勢調整スイッチ３０２ａ，３０２ｂ，３０２ｃが圧力変動設定手段に相当し、洗浄面積調整スイッチ３０２ｄ，３０２ｅ，３０２ｆが広がり角度設定手段に相当し、加熱装置１１が加熱手段に相当し、貯湯タンク１１ｔが貯留容器に相当し、モータ１４１が電気的駆動部に相当する。
【０１３６】
（第２の実施の形態）
以下、第２の実施の形態に係る衛生洗浄装置１００の本体部２００ａについての説明を行う。
【０１３７】
図１６は第２の実施の形態に係る衛生洗浄装置１００の本体部２００ａの構成を示す模式図である。
【０１３８】
図１６に示す本体部２００ａが図３に示す本体部２００と異なるのは、おしりノズル１の噴出形態を変化させるためのワイヤ２９ｃと、そのワイヤ２９ｃを制御するためのモータＭ０とが設けられている点、および切替弁１４をおしりノズル１、ビデノズル２およびノズル洗浄ノズル３の３流路に切り替える構造にした点である。このモータＭ０によりおしりノズル１の噴出形態を変化させる詳細については後述する。
【０１３９】
図１７（ａ）は切替弁１４の縦断面図であり、図１７（ｂ）は図１７（ａ）の切替弁１４のＡ−Ａ線断面図であり、図１７（ｃ）は図１７（ａ）の切替弁１４のＢ−Ｂ線断面図である。
【０１４０】
図１７に示す切替弁１４は、モータ１４１、内筒１４２および外筒１４３により構成される。
【０１４１】
外筒１４３内に内筒１４２が挿入され、モータ１４１の回転軸が内筒１４２に取り付けられている。モータ１４１は、制御部４により与えられる制御信号に基いて回転動作を行う。モータ１４１が回転することにより内筒１４２が回転する。
【０１４２】
図１７（ａ），（ｂ），（ｃ）に示すように、外筒１４３の一端には、洗浄水入口１４３ａが設けられ、側部の対向する位置に洗浄水出口１４３ｂ，１４３ｃが設けられ、側部の洗浄水出口１４３ｂ，１４３ｃと異なる位置に洗浄水出口１４３ｄが設けられている。内筒１４２の互いに異なる位置に孔１４２ｅ，１４２ｆが設けられている。孔１４２ｅの周辺には、図１７（ｂ）に示すように、面取り部が形成されている。内筒１４２の回転により、孔１４２ｅが外筒１４３の洗浄水出口１４３ｂまたは１４３ｃと対向可能になっており、孔１４２ｆが外筒１４３の洗浄水出口１４３ｄと対向可能になっている。
【０１４３】
洗浄水入口１４３ａには、図１６の配管２０３が接続され、洗浄水出口１４３ｂには、おしりノズル１が接続され、洗浄水出口１４３ｃには、ビデノズル２が接続され、洗浄水出口１４３ｄには、ノズル洗浄用ノズル３が接続されている。
【０１４４】
図１８は図１７の切替弁１４の動作を示す断面図である。
図１８（ａ）に示すように、モータ１４１が回転せず、内筒１４２の孔１４２ｅが外筒１４３の洗浄水出口１４３ｄと同じ側にある場合、内筒１４２の孔１４２ｅが外筒１４３の洗浄水出口１４３ｂ，１４３ｃのいずれにも対向せず、かつ内筒１４２の孔１４２ｆが外筒１４３の洗浄水出口１４３ｄに対向しない。したがって、洗浄水が洗浄水出口１４３ｂ，１４３ｃ，１４３ｄのいずれからも流出しない。
【０１４５】
次に、図１８（ｂ）に示すように、モータ１４１が内筒１４２を４５度回転させた場合には、内筒１４２の孔１４２ｅの周囲の面取り部の一部が外筒１４３の洗浄水出口１４３ｂに対向する。したがって、少量の洗浄水が洗浄水入口１４３ａより内筒１４２の内部を通過して、矢印Ｗ１で示すように洗浄水出口１４３ｂから流出する。
【０１４６】
また、図１８（ｃ）に示すように、モータ１４１が内筒１４２を９０度回転させた場合には、内筒１４２の孔１４２ｅが外筒１４３の洗浄水出口１４３ｂに対向する。したがって、多量の洗浄水が洗浄水入口１４３ａより内筒１４２の内部を通過して、矢印Ｗ２で示すように洗浄水出口１４３ｂから流出する。
【０１４７】
さらに、モータ１４１が内筒１４２を２７０度回転させた場合には、内筒１４２の孔１４２ｅが外筒１４３の洗浄水出口１４３ｃに対向する。したがって、多量の洗浄水が洗浄水入口１４３ａより内筒１４２の内部を通過して洗浄水出口１４３ｃから流出する。
【０１４８】
また、モータ１４１が内筒１４２を１８０度回転させた場合には、内筒１４２の孔１４２ｆが外筒１４３の洗浄水出口１４３ｄに対向する。したがって、多量の洗浄水が洗浄水入口１４３ａより内筒１４２の内部を通過して洗浄水出口１４３ｄから流出する。
【０１４９】
以上のように、制御部４からの制御信号に基いてモータ１４１が回転することにより内筒１４２の孔１４２ｅ，１４２ｆのいずれかが外筒１４３の洗浄水出口１４３ｂ〜１４３ｄのいずれかに対向した場合には洗浄水が流出し、内筒１４２の孔１４２ｅ，１４２ｆのいずれもが外筒１４３の洗浄水出口１４３ｂ〜１４３ｄのいずれにも対向しない場合には洗浄水が流出しない。
【０１５０】
次に、図１６のノズル部３０のおしりノズル１について説明する。図１９は図１６のノズル部３０のおしりノズル１の断面図である。なお、図１６のノズル部３０のビデノズル２の構成および動作は図１９のおしりノズル１と同様である。
【０１５１】
図１９に示すように、おしりノズル１は、円筒状のピストン部２０、円筒状のシリンダ部２１、シールパッキン２２およびスプリング２３により構成される。
【０１５２】
ピストン部２０の先端近傍には、洗浄水を噴出するための噴出孔２５が形成されている。さらに、噴出孔２５付近には、噴出孔２５から噴出される洗浄水の噴出形態を調整するための円錐状の噴出形態調整片２９ａ、噴出形態調整片２９ａの位置を調整するためのバネ２９ｂおよびワイヤ２９ｃが設けられている。噴出形態調整片２９ａはバネ２９ｂにより噴出孔２５内に挿入されるように付勢されている。図１６のモータＭ０によりワイヤ２９ｃを矢印ｚの方向に引っ張ることによりバネ２９ｂの弾性に抗して噴出形態調整片２９ａの位置を調整することができる。ピストン部２０の後端には、フランジ形状のストッパ部２６が設けられている。また、ストッパ部２６には、シールパッキン２２が装着されている。ピストン部２０の内部には、後端面から噴出孔２５に連通する流路２７が形成されている。
【０１５３】
一方、シリンダ部２１は、先端側の径小部分と後端側の径大部分とからなる。それにより、径小部分と径大部分との間に、ストッパ部２６がシールパッキン２２を介して当接可能なストッパ面２１ｂが形成されている。シリンダ部２１の後端面には、洗浄水入口２４が設けられ、シリンダ部２１の先端面には、開口部２１ａが設けられている。シリンダ部２１の内部空間が温度変動緩衝部２８となる。洗浄水入口２４は、シリンダ部２１の中心軸とは異なる位置に偏心して設けられている。洗浄水入口２４は、図１６の切替弁１４の洗浄水出口１４３ｂに接続されている。
【０１５４】
ピストン部２０は、ストッパ部２６が温度変動緩衝部２８内に位置し、先端部が開口部２１ａから突出するように、シリンダ部２１内に移動可能に挿入されている。
【０１５５】
さらに、スプリング２３は、ピストン部２０のストッパ部２６とシリンダ部２１の開口部２１ａの周縁との間に配設されており、ピストン部２０をシリンダ部２１の後端側に付勢する。
【０１５６】
ピストン部２０のストッパ部２６の外周面とシリンダ部２１の内周面との間に微小隙間が形成され、ピストン部２０の外周面とシリンダ部２１の開口部２１ａの内周面との間に微小隙間が形成されている。
【０１５７】
次いで、図１９のおしりノズル１の動作について説明する。図２０は図１９のおしりノズル１の動作を説明するための断面図である。
【０１５８】
まず、図２０（ａ）に示すように、シリンダ部２１の洗浄水入口２４より洗浄水が供給されない場合、ピストン部２０が、スプリング２３の弾性力により矢印Ｘの方向と逆方向に後退し、シリンダ部２１内に収容されている。その結果、ピストン部２０は、シリンダ部２１の開口部２１ａより最も突出していない状態となる。このとき、シリンダ部２１内には、温度変動緩衝部２８が形成されない。
【０１５９】
次いで、図２０（ｂ）に示すように、シリンダ部２１の洗浄水入口２４より洗浄水の供給が開始された場合、洗浄水の圧力によりピストン部２０がスプリング２３の弾性力に抗して矢印Ｘの方向に徐々に前進する。それにより、シリンダ部２１内に温度変動緩衝部２８が形成されるとともに温度変動緩衝部２８に洗浄水が流入する。
【０１６０】
洗浄水入口２４がシリンダ部２１の中心軸に対して偏心した位置に設けられているので、温度変動緩衝部２８に流入した洗浄水は、矢印Ｖで示すように渦巻状に還流する。温度変動緩衝部２８の洗浄水の一部は、ピストン部２０のストッパ部２６の外周面とシリンダ部２１の内周面との間の微小隙間を通して、ピストン部２０の外周面とシリンダ部２１の開口部２１ａの内周面との間の微小隙間から流れ出るとともに、ピストン部２０の流路２７を通して噴出孔２５から噴出される。
【０１６１】
ピストン部２０がさらに前進すると、図２０（ｃ）に示すように、ストッパ部２６がシールパッキン２２を介してシリンダ部２１のストッパ面２１ｂに水密に接触する。それにより、ピストン部２０のストッパ部２６の外周面とシリンダ部２１の内周面との間の微小隙間からピストン部２０の外周面とシリンダ部２１の開口部２１ａの内周面との間の微小隙間に至る流路が遮断される。したがって、温度変動緩衝部２８の洗浄水が、ピストン部２０内の流路２７を通して噴出孔２５のみから噴出される。
【０１６２】
図２１（ａ）〜（ｃ）は、第２の実施の形態におけるおしりノズル１の噴出孔２５より噴出される洗浄水の説明図である。
【０１６３】
図２１（ａ）は、噴出形態調整片２９ａの先端が噴出孔２５から取り出された場合の洗浄水の噴出形態を表した模式図である。噴出形態調整片２９ａの先端が噴出孔２５から取り出された状態では、噴出形態調整片２９ａの外周面と噴出孔２５の距離が十分大きいため、洗浄水は噴出形態調整片２９ａの外周面の影響を受けない。したがって、先浄水は噴出孔２５から矢印ｗ１の方向に噴出され、その噴出形態は破線で示すように直線流となる。
【０１６４】
図２１（ｂ）は、噴出形態調整片２９ａの先端が噴出孔２５内に挿入された場合の洗浄水の噴出形態を表した模式図である。噴出形態調整片２９ａの先端が噴出孔２５内に挿入された状態では、噴出形態調整片２９ａの外周面と噴出孔２５の距離が小さくなるため、洗浄水は噴出形態調整片２９ａの円錐状の外周面に沿って流れ、矢印ｗ２，ｗ３で示すように噴出孔２５から広がるように噴出される。それにより、破線で示すように広がりを持った噴流として噴出される。図２１（ｃ）に示すように、噴出孔２５から噴出される洗浄水の断面は円形状となる。ワイヤ２９ｃにより噴出孔２５内での噴出形態調整片２９ａの位置を調整することにより、噴出孔２５から噴出される洗浄水の広がり角度を変化させることができる。それにより、被洗浄面の洗浄面積を変化させることができる。
【０１６５】
図２２（ａ）〜（ｃ）は、第２の実施の形態におけるおしりノズル１に設けられた噴出形態調整片の他の例を示す図である。図２２の噴出形態調整片２９ａは逆円錐台状の外周面を有する。噴出形態調整片２９ａはバネ２９ｂにより噴出孔２５から押し出されるように付勢されている。図１６のモータＭ０によりワイヤ２９ｃを矢印ｚの方向に引っ張ることによりバネ２９ｂの弾性に抗して噴出形態調整片２９ａの位置を調整することができる。
【０１６６】
図２２（ａ）は、噴出形態調整片２９ａが噴出孔２５から押し出された場合の洗浄水の噴出形態を表した模式図である。噴出形態調整片２９ａが噴出孔２５から押し出された状態では、噴出形態調整片２９ａ外周面と噴出孔２５の距離が十分大きいため、洗浄水は噴出形態調整片２９ａ外周面の影響を受けない。したがって、噴出孔２５から噴出される洗浄水の噴出形態は破線で示すように直線流となる。
【０１６７】
図２２（ｂ）は、噴出形態調整片２９ａが噴出孔２５に挿入された場合の洗浄水の噴出形態を表した模式図である。噴出形態調整片２９ａが噴出孔２５に挿入された状態では、噴出形態調整片２９ａの外周と噴出孔２５の距離が小さくさるため、洗浄水は噴出形態調整変２９ａの逆円錐台状の外周面に沿って流れ、矢印ｗ４，ｗ５で示すように噴出孔２５から広がるように噴出される。それにより、破線で示すように広がりを持った噴流として噴出される。図２２（ｃ）に示すように、噴出孔２５から噴出される洗浄水の断面は円環状となる。ワイヤ２９ｃにより噴出孔２５内での噴出形態調整片２９ａの位置を調整することにより、噴出孔２５から噴出される洗浄水の広がり角度を変化させることができる。それにより、被洗浄面の洗浄面積を変化させることができる。
【０１６８】
本実施の形態に係る衛生洗浄装置１００においては、噴出形態調整片２９ａおよび２９ｂが可動部材に相当し、モータＭ０が駆動手段に相当する。
【０１６９】
（第３の実施の形態）
以下、第３の実施の形態に係る衛生洗浄装置１００の本体部２００ｂについての説明を行う。
【０１７０】
図２３は第３の実施の形態に係る衛生洗浄装置１００の本体部２００ｂの構成の一例を示す模式図である。
【０１７１】
図２３に示す本体部２００ｂが図１６に示す本体部２００ａと異なるのは、便器洗浄ノズル３４とノズル洗浄ノズル３との流路を切り替える切替弁１５と、切替弁１５を制御するモータＭ１とが設けられている点である。
【０１７２】
制御部４は図２３の遠隔操作装置３００から無線送信される信号に基づき、モータＭ１を回転させる。それにより、切替弁１５はノズル部３０の便器洗浄ノズル３４とノズル洗浄ノズル３のいずれか一方に洗浄水を供給する。
【０１７３】
図２４は、便器洗浄ノズル３４から洗浄水が噴出される様子を描いた模式図である。遠隔操作装置３００からの信号により便器洗浄ノズル３４が移動して、洗浄水が便器６００に向かって下向きに噴出される。便器洗浄ノズル３４は、図１１、図２１、図２２のいずれかで説明した形態をしたノズルとしてもよい。これにより、便器洗浄を効果的に行うことができる。
【０１７４】
本発明に係る衛生洗浄装置は、給水源から供給される洗浄水を人体に噴出する衛生洗浄装置であって、洗浄水を噴出するとともに噴出する洗浄水の広がり角度を連続的に変更可能な噴出手段と、噴出手段から噴出される洗浄水の広がり角度を制御する制御手段とを備えるものである。
【０１７５】
本発明に係る衛生洗浄装置においては、噴出手段から噴出される洗浄水が広がり角度制御手段により連続的に広がり角度が制御されて人体に向けて噴出される。したがって、使用者は好みまたは体調に応じて種々の洗浄感および洗浄力を得ることができる。
【０１７６】
衛生洗浄装置は、噴出手段から噴出される洗浄水の広がり角度を設定するための広がり角度設定手段をさらに備え、制御手段は、広がり角度設定手段の設定に基づいて噴出手段から噴出される洗浄水の広がり角度を制御してもよい。この場合、広がり角度設定手段の設定に基づいて噴出手段による洗浄水の広がり角度を制御することができる。したがって、使用者は噴出手段から噴出される洗浄水の広がり角度を調整し、洗浄面積を変化させることができる。
【０１７７】
広がり角度設定手段は、洗浄水の広がり角度を連続的に変更可能なスイッチを備えてもよい。この場合、広がり角度設定手段の設定に基づいて噴出手段から噴出される洗浄水の広がり角度を連続的に制御することができる。したがって、使用者は洗浄水の広がり角度および洗浄面積を好みまたは体調により簡単に選択することができる。
【０１７８】
衛生洗浄装置は、噴出手段から噴出される洗浄水の広がり角度を設定するための広がり角度設定手段をさらに備え、広がり角度設定手段は、洗浄水の広がり角度を段階的に変更可能なスイッチを備えてもよい。この場合、広がり角度設定手段の設定に基づいて噴出手段から噴出される洗浄水の広がり角度を段階的に制御することができる。したがって、使用者は洗浄水の広がり角度および洗浄面積を好みまたは体調により簡単に調整することができる。
【０１７９】
制御手段は、広がり角度設定手段の設定に基づいて噴出手段から噴出される洗浄水の広がり角度を連続的に拡大または縮小させてもよい。この場合、広がり角度設定手段の設定に基づいて噴出手段から噴出される洗浄水の広がり角度を連続的に拡大または縮小することができる。したがって、使用者は洗浄水の広がり角度および洗浄面積を好みまたは体調により連続的に調整することができる。
【０１８０】
衛生洗浄装置は、噴出手段から噴出される洗浄水の広がり角度の連続的な拡大または縮小を繰り返す動作を指令する指令手段をさらに備え、制御手段は、指令手段の指令に応答して噴出手段から噴出される洗浄水の広がり角度を変化させてもよい。この場合、指令手段からの指令により噴出手段から噴出される洗浄水の広がり角度を連続的に拡大または縮小を繰り返すことができる。したがって、使用者は広範囲に渡って繰り返し洗浄することができる。
【０１８１】
制御手段は、洗浄水広がり角度の拡大速度よりも縮小速度を小さくしてもよい。この場合、噴出手段から噴出される洗浄水の広がり角度は拡大速度よりも縮小速度の方が小さくなる。したがって、洗浄水が外側から内側に向かって汚れを落とすように作用し、被洗浄面の外周への汚れ飛散を防止することができる。
【０１８２】
噴出手段は、洗浄水を断面円状に噴出してもよい。この場合、噴出手段から噴出される洗浄水の断面が円状となる。したがって、使用者は被洗浄面を円状に洗浄することができる。その結果、使用者は好みまたは体調に応じた種々の洗浄感を得ることができる。
【０１８３】
噴出手段は、洗浄水を断面円環状に噴出してもよい。この場合、噴出手段から噴出される洗浄水の断面が円環状となる。したがって、使用者は被洗浄面を円環状に洗浄することができる。その結果、使用者は好みまたは体調に応じた種々の洗浄感を得ることができる。
【０１８４】
噴出手段は、噴出孔と、給水源から供給される洗浄水を噴出孔に導く第１の流路と、給水源から供給される洗浄水を噴出孔に導く第２の流路と、第１の流路の洗浄水に回転流を生成する回転流生成手段と、第１の流路および第２の流路に供給される洗浄水の流量を調整する流量調整手段とを含んでもよい。
【０１８５】
この場合、噴出手段の第１の流路および第２の流路を介して噴出孔より洗浄水を噴出させることができる。また、第１の流路と第２の流路とが別個に形成されるため、第１の流路および第２の流路を流れる洗浄水の流量をそれぞれ独立に変化させることができる。さらに、第１の流路において洗浄水の回転流を生成することができるため、噴出孔より分散旋回流を噴出させることができる。したがって、第１の流路および第２の流路を流れる洗浄水の流量を調整することにより使用者の体調または好みに応じて直線流および分散旋回流のいずれか一方、または直線流と分散旋回流との混合流を噴出させることができる。それにより、洗浄水の広がり角度および洗浄面積を変化させることができる。
【０１８６】
噴出手段は、噴出孔と、給水源から供給される洗浄水を噴出孔に導く流路と、噴出孔内に移動可能に設けられた円錐状の外周面を有する可動部材とを有し、制御手段は、可動部材を移動させる駆動手段を含んでもよい。この場合、噴出孔内に設けた円錐状の可動部材が噴出孔から取り出されると洗浄水は可動部材の影響を受けずに直線流となる。また、可動部材が噴出孔に挿入されると洗浄水は可動部材の外周面に沿って噴出されるため、断面が円状の分散流となる。したがって、可動部材の位置により洗浄水の広がり角度が変化するとともに、洗浄水の密度が変化し、流量のみの調整とは異なる洗浄感が得られる。その結果、使用者は好みまたは体調に応じた種々の洗浄感および洗浄力を得ることができる。
【０１８７】
噴出手段は、噴出孔と、給水源から供給される洗浄水を噴出孔に導く流路と、噴出孔内に移動可能に設けられた逆円錐台状の外周面を有する可動部材とを有し、制御手段は、可動部材を移動させる駆動手段を含んでもよい。
【０１８８】
この場合、噴出孔内に設けた逆円錐台状の可動部材が噴出孔から取り出されると洗浄水は可動部材の影響を受けずに直線流となる。また、可動部材が噴出孔に挿入されると洗浄水は可動部材の外周面に沿って噴出されるため、断面が円環状の分散流となる。したがって、可動部材の位置により洗浄水の広がり角度が変化するとともに、洗浄水の密度が変化し、流量のみの調整とは異なる洗浄感が得られる。その結果、使用者は好みまたは体調に応じた種々の洗浄感および洗浄力を得ることができる。
【０１８９】
噴出手段は、人体に洗浄水を噴出する人体洗浄ノズル装置を含んでもよい。この場合、人体の局部の洗浄面積を変化させることができる。
【０１９０】
噴出手段は、便器に洗浄水を噴出する便器洗浄ノズル装置を含んでもよい。この場合、便器の洗浄面積を変化させることができる。したがって、便器の洗浄を効果的に行うことができる。
【０１９１】
制御手段は、噴出手段から噴出される洗浄水の広がり角度を制御する電気的駆動部を含んでもよい。この場合、電気的駆動部により噴出手段から噴出される洗浄水の広がり角度を調整することができる。したがって、使用者は遠隔操作または自動で噴出手段から噴出される洗浄水の広がり角度を変化させることができる。
【０１９２】
噴出手段は、複数のノズル装置と、複数のノズル装置のいずれかに選択的に洗浄水を供給する切替手段とを含み、電気的駆動部は、切替手段を切替えるものであってもよい。この場合、電気的駆動部は噴出手段から噴出される洗浄水の広がり角度を調整すると同時に洗浄水を供給するノズル装置を選択的に切り替えることができる。したがって、電気的駆動部を複数設ける必要がなく、省スペース化が実現できる。
【０１９３】
衛生洗浄装置は、給水源から供給された洗浄水を加熱して噴出手段に供給する加熱手段をさらに備えてもよい。この場合、給水源から供給された洗浄水を加熱手段により加熱して噴出手段に供給することができる。したがって、噴出手段の噴出孔より適度に加熱された洗浄水を噴出させることができる。
【０１９４】
加熱手段は、給水源から供給された洗浄水を貯留する貯留容器を有し、貯留容器に貯留された洗浄水を加熱する貯湯式加熱装置であってもよい。この場合、貯湯式加熱装置の貯留容器に貯留された洗浄水は常に加熱される。したがって、使用者は貯留容器に加熱された洗浄水が貯留されている限り、噴出手段より噴出される洗浄水の流量を大きく設定しても洗浄水の温度が低下しない。そのため、使用者は洗浄水を最適温度に保ちつつ、流量を幅広く調整することが可能となる。
【０１９５】
【発明の効果】
本発明に係る衛生洗浄装置においては、噴出手段から噴出される洗浄水が広がり角度制御手段により連続的に広がり角度が制御されて人体に向けて噴出される。したがって、使用者は好みまたは体調に応じて種々の洗浄感および洗浄力を得ることができる。